(57)【要約】【課題】Ｉ型コアとＵ型コアの組み合わせたトランス構造でありながら、接着テープの巻き回しによるコア結合保持ができ、そのため小型化を図ることができると共に、インダクタンスのばらつきや低下を防止でき、信頼性を向上させることができるようにする。【解決手段】巻線を施したボビン２６にＩ型コア２８とＵ型コア３０を組み合わせる構成であり、ボビンの両端の端子保持部２４は、その側面幅が巻線軸に対して左右非対称であり、長幅側にＵ型コアが配置され、短幅側の上面にはＩ型コアの側面が当接することでコア組み込み位置決めするコア支え部３８が突設されている。コア支え部は、巻枠２２につながる部分で巻枠の最外形に一致し、巻線軸方向の端部位置はＩ型コアの端面に一致し、高さはＩ型コアの厚さに相当する突出形状をなし、コア支え部とＩ型コアとＵ型コアを囲むように接着テープ４４を巻き回し結合保持する。【選択図】図１
2008098350.tif 000002
【特許請求の範囲】
【請求項１】
中空の巻胴部の両端に巻枠及び端子保持部が一体化されているボビンと、前記巻胴部に巻装される１次巻線及び２次巻線と、巻胴部の中空穴に挿入されるＩ型コアと、該Ｉ型コアと組み合わされ前記１次巻線及び２次巻線を取り囲み閉磁路を形成するように配置されるＵ型コアを備えているトランスにおいて、
前記ボビンの端子保持部は、その側面幅が巻線軸に対して左右非対称であり、長幅側にＵ型コアが配置され、短幅側の上面にはＩ型コアの側面が当接することでコア組み込み位置を決めるコア支え部が突設されており、該コア支え部は、巻枠につながる部分で巻枠の最外形に一致し、巻線軸方向の端部位置はＩ型コアの端面と一致し、高さはＩ型コアの厚さに相当する突出形状をなし、前記コア支え部とＩ型コアとＵ型コアを囲むように接着テープを巻き回すことで両コアを結合保持することを特徴とするインバータトランス。
【請求項２】
中空の巻胴部の両端に巻枠及び端子保持部が一体化されているボビンと、前記巻胴部に巻装される１次巻線及び２次巻線と、巻胴部の中空穴に挿入されるＩ型コアと、該Ｉ型コアと組み合わされ前記１次巻線及び２次巻線を取り囲み閉磁路を形成するように配置されるＵ型コアを備えているトランスにおいて、
前記ボビンの端子保持部は、その側面幅が巻線軸に対して左右非対称であり、巻線が施されたボビンの上面を絶縁カバーで覆い、該絶縁カバーの端子保持部分の長幅側にＵ型コアが配置され、短幅側の絶縁カバー上面にはＩ型コアの側面が当接することでコア組み込み位置決めするコア支え部が突設されており、該コア支え部は、巻枠につながる部分で巻枠の最外形に一致し、巻線軸方向の端部位置はＩ型コアの端面に一致し、高さはＩ型コアの厚さに相当する突出形状をなし、前記コア支え部とＩ型コアとＵ型コアを囲むように接着テープを巻き回すことで両コアを結合保持することを特徴とするインバータトランス。
【請求項３】
前記コア支え部は、巻枠に近づくにしたがって幅広になり巻枠につながる部分で巻枠の最外形に一致し、巻線軸方向の端部位置はＩ型コアの端面と一致するような斜面を持つ三角柱形状をなしている請求項１又は２記載のインバータトランス。
【請求項４】
中空の巻胴部の両端に巻枠及び端子保持部が一体化されているボビンと、前記巻胴部に巻装される１次巻線及び２次巻線と、巻胴部の中空穴に挿入されるＩ型コアと、該Ｉ型コアと組み合わされ前記１次巻線及び２次巻線を取り囲み閉磁路を形成するように配置されるＵ型コアを備えているトランスユニットを２組、Ｕ型コアが外側に位置するように対向配置したトランスであって、
前記ボビンの端子保持部は、その側面幅が巻線軸に対して左右非対称であり、長幅側にＵ型コアが配置され、短幅側の上面にはＩ型コアの側面が当接することでコア組み込み位置決めするコア支え部が突設されており、該コア支え部は、短辺側の端面の最外形に一致し、巻線軸に垂直な端面位置はＩ型コアの端面に一致し、高さはＩ型コアの厚さに相当する突出形状をなし、前記コア支え部とＩ型コアとＵ型コアを囲むように接着テープを巻き回すことで各コアを結合保持することを特徴とするインバータトランス。
【請求項５】
中空の巻胴部の両端に巻枠及び端子保持部が一体化されているボビンと、前記巻胴部に巻装される１次巻線及び２次巻線と、巻胴部の中空穴に挿入されるＩ型コアと、該Ｉ型コアと組み合わされ前記１次巻線及び２次巻線を取り囲み閉磁路を形成するように配置されるＵ型コアを備えているトランスユニットを２組、Ｕ型コアが外側に位置するように対向配置したトランスであって、
前記ボビンの端子保持部は、その側面幅が巻線軸に対して左右非対称であり、巻線が施された両ボビンの上面を共通の絶縁カバーで覆い、該絶縁カバーの端子保持部分の長幅側にＵ型コアが配置され、短幅側の絶縁カバー上面にはＩ型コアの側面が当接することでコア組み込み位置決めする共通のコア支え部が突設されており、該コア支え部は、巻線軸に垂直な端面位置はＩ型コアの端面に一致し、高さはＩ型コアの厚さに相当する突出形状をなし、前記コア支え部とＩ型コアとＵ型コアを囲むように接着テープを巻き回すことで各コアを結合保持することを特徴とするインバータトランス。
【請求項６】
ボビンは、その巻胴部の中間に巻枠兼用の中間ブロックを有し、該中間ブロックの巻枠により１次巻線領域と２次巻線領域を区画すると共に、該中間ブロックにも巻線用端子を設けた請求項１乃至５のいずれかに記載のインバータトランス。
【請求項７】
Ｉ型コアの一方の側面全体にギャップ用シートを添えて一緒にボビンの巻胴部の中空穴に挿入し、Ｕ型コアが前記ギャップ用シートを挟むように配置する請求項１乃至６のいずれかに記載のインバータトランス。
【発明の詳細な説明】
【技術分野】
【０００１】
本発明は、冷陰極管を点灯するインバータ回路などで使用するトランスに関し、更に詳しく述べると、Ｉ型コアとＵ型コアを組み合わせることで小型化を図り、接着テープを巻き回すことで安定且つ強固に、しかも作業性よく固定できるようにしたインバータトランスに関するものである。
【背景技術】
【０００２】
液晶ＴＶや大型の液晶モニタでは、一般に多数本の冷陰極管をバックライトとして使用している。例えば、３２インチ型液晶テレビでは、１６本の冷陰極管が液晶パネルの背面に適度の間隔で配置されて画面全体の輝度を保っている。かつては冷陰極管の数と同数のインバータ回路を用いて冷陰極管を点灯させていたが、そのような構成では、回路が複雑化し、また多数の部品を使用するため、小型化が困難であり、コストも高いものとなっていた。そこで近年、図６に示すように、１個のスイッチング回路（ＳＷ回路）１０の出力でインバータトランス１２を介して複数（図１では４本）の冷陰極管１４を点灯させる方式が使用されている。
【０００３】
このようなインバータ回路に使われるインバータトランスは、通常、巻胴部と端子保持部を備えたボビンを有し、前記巻胴部に巻線材を巻装することで１次巻線及び複数の２次巻線を形成し、前記端子保持部に装着されている端子に巻線端末が接続され、巻胴部の側面を取り囲むように磁気コアを配置する構造になっている。かつては、磁気コアとして２個のＥ型コアを組み合わせ、両Ｅ型コアの中脚を対向するようにボビンの中空穴に挿入して閉磁路とするトランス構造が採用されていた。あるいは、磁気コアとしてＩ型コアと口型コアを組み合わせ、Ｉ型コアをボビンの中空穴に挿入して閉磁路とするトランス構造が採用されていた。これらのインバータトランスでは、組み合わせたコアの外周に接着テープを巻き回すことでコア同士を結合保持している。
【０００４】
しかし最近、インバータトランスのより一層の小型化、省スペース化が強く求められており、その要求に応えるため、Ｉ型コアとＵ型コアを組み合わせ、Ｉ型コアをボビンの中空穴に挿入してＵ型コアで閉磁路とするトランス構造が開発されている（例えば特許文献１参照）。磁気回路的には閉磁路になっていればよいので、Ｉ型コアとＵ型コアの組み合わせにすれば、余分な磁路部分を省けるからである。
【０００５】
ところが、Ｉ型コアとＵ型コアの組み合わせの場合、Ｕ型コアの反対側で巻線部分が張り出ているために、現状のままではコアの外周に接着テープを巻き回すことではコア同士を強固に結合保持することができない。そのため、接着剤によりテーピング無しでコア同士を固定する方法が採用されている。しかし、このようのな方法では、Ｕ型コアのＩ型コアへの押さえ付けが甘くなり、かつ片側接着となるため、ギャップのばらつきが大きく、インダクタンスがばらつく欠点があった。また、端子に巻線端末を半田付けするリフロー工程において、熱による接着剤の変形などの原因で、インダクタンスが低下することもあり、信頼性の低下が問題となっていた。
【特許文献１】特開２００４−３１６４７号公報
【発明の開示】
【発明が解決しようとする課題】
【０００６】
本発明が解決しようとする課題は、Ｉ型コアとＵ型コアを組み合わせたトランス構造でありながら、接着テープの巻き回しによる強固なコア結合保持ができ、そのため小型化を図ることができると共に、インダクタンスのばらつきや低下を防止でき、信頼性を向上させることができるようにすることである。
【課題を解決するための手段】
【０００７】
本発明は、中空の巻胴部の両端に巻枠及び端子保持部が一体化されているボビンと、前記巻胴部に巻装される１次巻線及び２次巻線と、巻胴部の中空穴に挿入されるＩ型コアと、該Ｉ型コアと組み合わされ前記１次巻線及び２次巻線を取り囲み閉磁路を形成するように配置されるＵ型コアを備えているトランスにおいて、前記ボビンの端子保持部は、その側面幅（巻線軸に垂直方向の水平長さ）が巻線軸に対して左右非対称であり、長幅側にＵ型コアが配置され、短幅側の上面にはＩ型コアの側面が当接することでコア組み込み位置を決めるコア支え部が突設されており、該コア支え部は、巻枠につながる部分で巻枠の最外形に一致し、巻線軸方向の端部位置はＩ型コアの端面と一致し、高さはＩ型コアの厚さに相当する突出形状をなし、前記コア支え部とＩ型コアとＵ型コアを囲むように接着テープを巻き回すことで両コアを結合保持することを特徴とするインバータトランスである。ここで、突出形状のコア支え部のＩ型コア側面に対向する側壁面が位置決め機能を有することになる。
【０００８】
また、本発明は、中空の巻胴部の両端に巻枠及び端子保持部が一体化されているボビンと、前記巻胴部に巻装される１次巻線及び２次巻線と、巻胴部の中空穴に挿入されるＩ型コアと、該Ｉ型コアと組み合わされ前記１次巻線及び２次巻線を取り囲み閉磁路を形成するように配置されるＵ型コアを備えているトランスにおいて、前記ボビンの端子保持部は、その側面幅が巻線軸に対して左右非対称であり、巻線が施されたボビンの上面を絶縁カバーで覆い、該絶縁カバーの端子保持部分の長幅側にＵ型コアが配置され、短幅側の絶縁カバー上面にはＩ型コアの側面が当接することでコア組み込み位置決めするコア支え部が突設されており、該コア支え部は、巻枠につながる部分で巻枠の最外形に一致し、巻線軸方向の端部位置はＩ型コアの端面に一致し、高さはＩ型コアの厚さに相当する突出形状をなし、前記コア支え部とＩ型コアとＵ型コアを囲むように接着テープを巻き回すことで両コアを結合保持することを特徴とするインバータトランスである。
【０００９】
これらにおいて、前記コア支え部は、巻枠に近づくにしたがって幅広になり巻枠につながる部分で巻枠の最外形に一致し、巻線軸方向の端部位置はＩ型コアの端面と一致するような斜面を持つ三角柱形状をなしているのが好ましい。
【００１０】
更に、本発明は、中空の巻胴部の両端に巻枠及び端子保持部が一体化されているボビンと、前記巻胴部に巻装される１次巻線及び２次巻線と、巻胴部の中空穴に挿入されるＩ型コアと、該Ｉ型コアと組み合わされ前記１次巻線及び２次巻線を取り囲み閉磁路を形成するように配置されるＵ型コアを備えているトランスユニットを２組、Ｕ型コアが外側に位置するように対向配置したトランスであって、前記ボビンの端子保持部は、その側面幅が巻線軸に対して左右非対称であり、長幅側にＵ型コアが配置され、短幅側の上面にはＩ型コアの側面が当接することでコア組み込み位置決めするコア支え部が突設されており、該コア支え部は、短辺側の端面の最外形に一致し、巻線軸に垂直な端面位置はＩ型コアの端面に一致し、高さはＩ型コアの厚さに相当する突出形状をなし、前記コア支え部とＩ型コアとＵ型コアを囲むように接着テープを巻き回すことで各コアを結合保持することを特徴とするインバータトランスである。
【００１１】
あるいは本発明は、中空の巻胴部の両端に巻枠及び端子保持部が一体化されているボビンと、前記巻胴部に巻装される１次巻線及び２次巻線と、巻胴部の中空穴に挿入されるＩ型コアと、該Ｉ型コアと組み合わされ前記１次巻線及び２次巻線を取り囲み閉磁路を形成するように配置されるＵ型コアを備えているトランスユニットを２組、Ｕ型コアが外側に位置するように対向配置したトランスであって、前記ボビンの端子保持部は、その側面幅が巻線軸に対して左右非対称であり、巻線が施された両ボビンの上面を共通の絶縁カバーで覆い、該絶縁カバーの端子保持部分の長幅側にＵ型コアが配置され、短幅側の絶縁カバー上面にはＩ型コアの側面が当接することでコア組み込み位置決めする共通のコア支え部が突設されており、該コア支え部は、巻線軸に垂直な端面位置はＩ型コアの端面に一致し、高さはＩ型コアの厚さに相当する突出形状をなし、前記コア支え部とＩ型コアとＵ型コアを囲むように接着テープを巻き回すことで各コアを結合保持することを特徴とするインバータトランスである。
【００１２】
なお、ボビンは、その巻胴部の中間に巻枠兼用の中間ブロックを有し、該中間ブロックの巻枠により１次巻線領域と２次巻線領域を区画すると共に、該中間ブロックにも巻線用端子を設けた構造とすることもできる。Ｉ型コアとＵ型コアの接合面にギャップ用シートを挟むが、その場合、Ｉ型コアの一方の側面全体にギャップ用シートを添えて一緒にボビンの巻胴部の中空穴に挿入し、Ｕ型コアが前記ギャップ用シートを挟むように配置してもよい。
【発明の効果】
【００１３】
本発明のインバータトランスは、Ｉ型コアとＵ型コアの組み合わせとしたことにより磁気回路の小型化を図ることができるのは勿論のこと、ボビンもしくは該ボビンを覆う絶縁カバーにコア支え部を突設し、該コア支え部にＩ型コアの側面が当接することでコア組み込みの位置決めがなされているため、Ｕ型コアをＩ型コアに、ひいてはコア支え部に強固に押さえ付けることができる。コア支え部は、巻枠につながる部分で巻枠の最外形と同じ厚さになり、巻線軸方向の端部位置はＩ型コアの端面と一致し、高さはＩ型コアの厚さに相当する形状をなしているため、接着テープを広い接着面に隙間少なく巻き回すことができ、それによってＩ型コアとＵ型コアとを強固に結合できる。これらによって、コア同士の結合が弛む恐れが無くなり、インダクタンスのばらつきや低減を防止できる。特に、コア支え部を三角柱状の突出形状にして、接着テープを巻き付けるようにすると、テーピング作業がより一層容易になり、しかもより安定したコア保持が可能となる。
【００１４】
また本発明において、１次巻線と２次巻線を施したボビンに対してＩ型コアとＵ型コアを組み合わせたトランスユニットを、２組、Ｕ型コアが外側に位置するように対称配置した構成にすると、インバータトランスの回路基板に搭載する実装面積を低減でき、装置のより一層の小型化を図ることができる。その際、コア支え部が介在するため、接着テープの巻き付けでも各コアの結合が弛む恐れはない。
【００１５】
更に本発明において、Ｉ型コアの側面全体に細長いギャップ用シートを添えて一緒にボビンの巻胴部の中空穴に挿入し、Ｕ型コアが前記ギャップ用シートを挟むように配置すると、ギャップ用シート数を半減できるため、ギャップ用シートを取り付ける工数を削減でき、またコア組み込み時のギャップ用シートの固定も容易となり、作業性が改善される。
【実施例】
【００１６】
図１は本発明に係るインバータトランスの第１の実施例を示す説明図である。Ａは平面を、Ｂは組み立て状態を、Ｃは側面をそれぞれ表している。なお、図面では巻線は省略して描いてある。このインバータトランスは、中空の巻胴部２０の両端に巻枠２２及び端子保持部２４が一体化されているボビン２６と、前記巻胴部２０に巻装される１次巻線及び２次巻線（１次巻線領域を符号ｐで、２次巻線領域を符号ｓでそれぞれ示す）と、巻胴部２０の中空穴に挿入されるＩ型コア２８と、該Ｉ型コア２８と組み合わされ前記１次巻線及び２次巻線を取り囲み閉磁路を形成するように配置されるＵ型コア３０を備えている。ここでボビン２６は、その巻胴部２０の中間に巻枠兼用の中間ブロック３２を設け、該中間ブロック３２の巻枠により１次巻線領域ｐと２次巻線領域ｓを区画すると共に、２次巻線領域に複数の巻線セパレータ３４を設けた構造である。端子保持部２４及び中間ブロック３２の底面には、各巻線の端末を絡げて半田付け接続するための複数のピン端子３６が突設されている。
【００１７】
ボビン２６の端子保持部２４及び中間ブロック３２は、その側面幅（巻線軸に垂直方向の水平長さ）Ｗ１，Ｗ２が巻線軸に対して左右非対称（Ｗ１＜Ｗ２）になっている。前記のように、Ｉ型コア２８は巻胴部２０の中空穴に挿入され、Ｕ型コア３０は、端子保持部２４の長幅側（Ｗ２側）に配置される。即ち、Ｉ型コア２８とＵ型コア３０は、水平面内で磁気回路が閉じるように組み合わされる。
【００１８】
この実施例では、ボビン２６の両端に位置する端子保持部２４の短幅側（Ｗ１側）の上面にはＩ型コア２８の側面が当接することでコア組み込み位置決めするコア支え部３８が一体的に突設されている。該コア支え部３８は、巻枠２２に近づくにしたがって幅広（巻線軸に垂直方向の水平長さが長くなる）になり巻枠２２につながる部分で巻枠２２の最外形に一致し、巻線軸方向の端部位置はＩ型コア２８の端面と一致するような斜面を持ち、高さはＩ型コア２８の厚さに相当する（言い換えれば、Ｉ型コア２８の厚さと同程度もしくはそれ以上）ほぼ三角柱状の突出体である。コア支え部３８の巻線軸に平行な内側の側面がコア位置決め壁面３８ａとなる。両コア支え部３８の内側の側面（コア位置決め壁面３８ａ）に、巻胴部２０の中空穴に挿入したＩ型コア２８の側面を押し当てることで、該Ｉ型コア２８の位置決めがなされる。また、ボビン２６の一方の端子保持部（ここでは図面左側の端子保持部）の巻胴部中空穴を延長した端部に、Ｉ型コア２８の巻線軸方向の位置決め用微小突起４２を設けている。従って、Ｉ型コア２８は、両方のコア支え部３８と微小突起４２によって巻線軸に垂直な水平方向と巻線軸に平行な方向とでの位置決めがなされる。Ｉ型コア２８のコア支え部３８に当接する側面と反対側の側面に、Ｕ型コア３０の両脚部の先端面が、ギャップ用シート４０を介して当接する。その状態で、前記コア支え部３８の斜面とＩ型コア２８の端面とＵ型コア３０の側面を覆うように接着テープ４４を巻き回し、Ｉ型コア２８とＵ型コア３０を結合保持する。
【００１９】
前記のように、ボビン２６にはコア支え部３８及び微小突起４２があるため、それらにＩ型コア２８を押し当てることで２次元平面でのコア位置決めがなされ、そのＩ型コア２８にギャップ用シート４０を介してＵ型コア３０の両脚部先端を押し付ければよいため、容易にテーピング作業を行うことができる。またコア支え部３８により接着テープ４２のボビン２６との密着面積も大きくなるため、がたつき等の恐れもなく、安定した固定を行うことができる。これにより、接着処理またはワニス処理の作業も容易になり、品質も安定することになる。
【００２０】
図２は本発明に係るインバータトランスの第２の実施例を示す説明図である。Ａは平面を表し、Ｂは組み立て状態を表している。このインバータトランスも、前記実施例と同様に、中空の巻胴部２０の両端に巻枠２２及び端子保持部２４が一体化されているボビン５０と、前記巻胴部２０に巻装される１次巻線及び２次巻線と、巻胴部２０の中空穴に挿入されるＩ型コア２８と、該Ｉ型コア２８と組み合わされ前記１次巻線及び２次巻線を取り囲み閉磁路を形成するように配置されるＵ型コア３０を備えている。ボビン５０は、その巻胴部２０の中間に巻枠兼用の中間ブロック３２を設け、該中間ブロック３２の巻枠により１次巻線領域と２次巻線領域を区画すると共に、２次巻線領域に複数の巻線セパレータ３４を設けた構造である。端子保持部２４及び中間ブロック３２の底面には、巻線の端末を巻き付け半田付け接続するための複数のピン端子が突設されている。
【００２１】
ボビン２６の端子保持部２４及び中間ブロック３２は、その側面幅（巻線軸に垂直方向の水平長さ）が巻線軸に対して左右非対称になっている。前記のように、Ｉ型コア２８は巻胴部２０の中空穴に挿入され、Ｕ型コア３０は、端子保持部２４の長幅側に配置する。即ち、Ｉ型コア２８とＵ型コア３０は、水平面内で磁気回路が閉じるように組み合わされる。
【００２２】
この第２の実施例では、巻線を施したボビン５０の上面を覆うように絶縁カバー５２を設け固定する。第１の実施例とは異なり、ボビン５０の端子保持部２４にはコア支え部を設けずに、絶縁カバー５２の方にコア支え部５４を設ける。即ち、短幅側の絶縁カバー５２の上面にはＩ型コア２８の側面が当接することでコア組み込み位置決めするコア支え部５４が突設されている。該コア支え部５４は、巻枠２２に近づくにしたがって幅広（巻線軸に垂直方向の水平長さが長くなる）になり巻枠２２につながる部分で巻枠２２の最外形に一致し、巻線軸方向の端部位置はＩ型コア２８の端面と一致するような斜面を持ち、高さはＩ型コア２８の厚さに相当するほぼ三角柱状の突出体である。両コア支え部５４の内側の側面に、巻胴部２０の中空穴に挿入したＩ型コア２８の側面を押し当てることで、該Ｉ型コア２８の位置決めがなされる。また、絶縁カバー５２の一方の短辺縁（ここでは図面左側）の巻胴部中空穴を延長した部分に、Ｉ型コア２８の巻線軸方向の位置決め用微小突起５６を設けている。従って、Ｉ型コア２８は、両方のコア支え部５４と微小突起５６によって巻線軸に垂直な水平方向と巻線軸に平行な方向とでの位置決めがなされる。Ｉ型コア２８のコア支え部５４に当接する側面と反対側の側面に、Ｕ型コア３０の両脚部の先端面が、ギャップ用シート４０を介して当接する。その状態で、前記コア支え部５４の斜面とＩ型コア２８の端面とＵ型コア３０の側面を覆うように接着テープ４４を巻き回し、組み立てる。
【００２３】
この構成は、絶縁カバーを用いるため部品点数が増えるが、反面、コアの絶縁性能が向上するし、絶縁カバー側にコア支え部を一体的に形成するため、コア支え部の無い従来のボビンがそのまま使用できる利点がある。なお、絶縁カバーは、ボビンに接着する場合もあるし、接着せずに単に被せるだけの場合もある。
【００２４】
図３は本発明に係るインバータトランスの第３の実施例を示す説明図である。Ａは平面を表し、Ｂは組み立て状態を表している。ギャップ用シートを除き基本的な構成は図１の
第１の実施例と同様なので、対応する部材に同一符号を付し、それらについての説明は省略する。
【００２５】
この第３の実施例では、Ｉ型コア２８の一方の側面（Ｕ型コア３０に対向する面）全体にギャップ用シート５８を添えて一緒にボビン２６の巻胴部２０の中空穴に挿入し、Ｕ型コア３０の両端脚部の先端面が前記ギャップ用シート５８を挟むように配置する。このようにすると、ギャップ用シート数を半減できるため設置工数を削減でき、またコア組み込み時のギャップ用シート５８の固定も容易となり、作業性を改善できる。なお、この構造は、図２に示す第２の実施例のような絶縁カバーを用いる場合にも適用できることは言うまでもない。
【００２６】
図４は本発明に係るインバータトランスの第４の実施例を示す説明図である。Ａは平面を表し、Ｂは組み立て状態を表している。このインバータトランスは、中空の巻胴部２０の両端に巻枠２２及び端子保持部２４が一体化されているボビン６０と、前記巻胴部２０に巻装される１次巻線及び２次巻線と、巻胴部２０の中空穴に挿入されるＩ型コア２８と、該Ｉ型コア２８と組み合わされ前記１次巻線及び２次巻線を取り囲み閉磁路を形成するように配置されるＵ型コア３０を備えているトランスユニットを２組、Ｕ型コア３０が外側に位置するように対向配置した構成である。
【００２７】
ここでもボビン６０の端子保持部２４は、その側面幅（巻線軸に垂直方向の水平長さ）が巻線軸に対して左右非対称であり、長幅側にＵ型コア３０が配置される。各ボビン６０は、その巻胴部２０の中間に巻枠兼用の中間ブロック３２を設け、該中間ブロック３２の巻枠により１次巻線領域と２次巻線領域を区画すると共に、２次巻線領域に巻線セパレータ３４を設けた構造である。端子保持部２４及び中間ブロック３２の底面には、巻線の端末を巻き付け半田付け接続するための複数のピン端子が突設されている。
【００２８】
ボビン６０の両端に位置する端子保持部２４の短幅側の上面には、Ｉ型コア２８の側面が当接することでコア組み込み位置決めするコア支え部６２が一体的に突設されている。該コア支え部６２は、短辺側の端面の最外形に一致し、巻線軸方向の端面はＩ型コア２８の端面に一致し、高さはＩ型コア２８の厚さに相当する四角柱状の突出体である。両方のボビン６０は、それらのコア支え部６２の位置決め壁面（Ｉ型コア２８が当接する面）とは反対側の面同士が接するように組み合わされる。コア支え部６２の位置決め壁面に、巻胴部２０の中空穴に挿入したＩ型コア２８の側面を押し当てることで、該Ｉ型コア２８の位置決めがなされる。そのＩ型コア２８のコア支え部６２に当接する側面と反対側の側面に、Ｕ型コア３０の両脚部の先端面が、ギャップ用シート４０を介して当接する。その状態で、前記コア支え部６２の端面とＩ型コア２８の端面とＵ型コア３０の側面を覆うように接着テープ６４を巻き回し各コア２８，３０を結合保持する。
【００２９】
図５は本発明に係るインバータトランスの第５の実施例を示す平面図である。このインバータトランスは、基本的には図４に示す第４の実施例と同様、中空の巻胴部の両端に巻枠及び端子保持部が一体化されているボビンと、前記巻胴部に巻装される１次巻線及び２次巻線と、巻胴部の中空穴に挿入されるＩ型コア２８と、該Ｉ型コア２８と組み合わされ前記１次巻線及び２次巻線を取り囲み閉磁路を形成するように配置されるＵ型コア３０を備えているトランスユニットを２組、Ｕ型コア３０が外側に位置するように対向配置した構成である。
【００３０】
この第５の実施例では、巻線を施した両ボビンの上面を覆う共通の（単一の）絶縁カバー６６を被せて固定する。第４の実施例とは異なり、ボビンの端子保持部にはコア支え部を設けずに、絶縁カバー６６の方にコア支え部６８を設ける。端子保持部の短幅側に相当する絶縁カバー上面位置に、両トランスユニットに共通のコア支え部６８が突設されている。該コア支え部６８は、巻線軸方向の端面はＩ型コアの端面に一致し、高さはＩ型コア２８の厚さに相当する四角柱状の突出体であり、Ｉ型コア２８の側面が当接することでコア組み込み位置決めする機能を果たす。両コア支え部６８の側面に、巻胴部の中空穴に挿入したＩ型コア２８の側面を押し当てることで、該Ｉ型コア２８の位置決めがなされる。そのＩ型コア２８のコア支え部６８に当接する側面と反対側の側面に、Ｕ型コア６８の両脚部の先端面が、ギャップ用シート４０を介して当接する。その状態で、前記コア支え部６８の端面とＩ型コア２８の端面とＵ型コア３０の側面を覆うように接着テープ６４を巻き回し２組のボビンと絶縁カバーと各コアとを結合一体化する。
【００３１】
上記の実施例は、いずれも端子保持部や中間ブロックの底面にピン端子を突設したこうぞうであるが、端子を水平方向に突設して面実装するような構成でもよい。
【図面の簡単な説明】
【００３２】
【図１】本発明に係るインバータトランスの第１の実施例を示す説明図。
【図２】本発明に係るインバータトランスの第２の実施例を示す説明図。
【図３】本発明に係るインバータトランスの第３の実施例を示す説明図。
【図４】本発明に係るインバータトランスの第４の実施例を示す説明図。
【図５】本発明に係るインバータトランスの第５の実施例を示す平面図。
【図６】インバータ回路の一例を示す回路図。
【符号の説明】
【００３３】
２０  巻胴部
２２  巻枠
２４  端子保持部
２６  ボビン
２８  Ｉ型コア
３０  Ｕ型コア
３８  コア支え部
４０  ギャップ用シート
４４  接着テープ
【図１】
2008098350.tif 000003
【図２】
2008098350.tif 000004
【図３】
2008098350.tif 000005
【図４】
2008098350.tif 000006
【図５】
2008098350.tif 000007
【図６】
2008098350.tif 000008